(57)【要約】【課題】焼却時に有害ガスを発生せず、また発生するＣＯ2ガスを原材料製造工程で消費する（植物成長時に消費する）ことで、トータルとしてＣＯ2ガス排出量を削減し、地球温暖化防止に貢献するホログラムラベルを提供することを目的とする。さらに、生分解性を付与することで、埋め立て処理された後は、土壌中で分解して残留しないホログラムラベルを提供することを目的とする。【解決手段】植物由来材料からなる透明な基材に、ホログラムが形成されたホログラムラベルであって、植物由来材料からなる透明な基材と、基材の片面に、ホログラム形成層，反射層，粘着剤層，剥離基材が順次形成されたホログラムラベルを提供する。【選択図】  図１
2007079299.tif 000002
【特許請求の範囲】
【請求項１】
植物由来材料からなる透明な基材に、ホログラムが形成されたホログラムラベルであって、
植物由来材料からなる透明な基材と、
基材の片面に、ホログラム形成層，反射層，粘着剤層，剥離基材が順次形成されたことを特徴とするホログラムラベル。
【請求項２】
請求項１に記載のホログラムラベルにおいて、
ホログラム形成面の逆面に、さらに、印刷層，接着剤層，透明な植物由来材料からなる樹脂層が順次形成されたことを特徴とするホログラムラベル。
【請求項３】
請求項１〜２何れか一項に記載のホログラムラベルにおいて、
ホログラムには、基材の原料である植物に関する文字または図柄がデザインされていることを特徴とするホログラムラベル。
【発明の詳細な説明】
【技術分野】
【０００１】
本発明は、植物由来材料からなる透明な基材に、ホログラムが形成されたホログラムラベルに関する。
【背景技術】
【０００２】
近年、光の干渉を利用したホログラムが、ホログラムラベルとして、スポーツ用品，ブランド品，ビデオカセット，コンパクトディスク等に貼付され、偽造品排除手段として広く利用されている。
ホログラムは、製造困難で、しかも判別具を使用することなく本物か偽者か判定し易いため前述のような偽造品排除手段として使用され、一方で、意匠的にも高級感を与えるために、前述の商品以外にも利用範囲を広げつつある。
【０００３】
前述のホログラムラベルの基材には、多くの場合、ポリエステル（ポリエチレンテレフタレート），ポリ塩化ビニル，ポリカーボネート，ポリプロピレン等の石油を原料とするプラスチック材料が使用され（例えば、特許文献１参照）、これらのラベル材料は、使用された後は、剥がされずに貼付された商品等と一緒に焼却されるか、そのまま埋め立てなどの処理によって廃棄されている。石油を原料とするラベル材料が焼却される場合は、焼却時に発生する有害ガスの問題や、ＣＯ2ガスによる地球温暖化問題がある。
また、埋め立て処理される場合は、土壌中に分解せず、半永久的に土壌中に残留するという問題がある。
【０００４】
【特許文献１】実開昭６２−９６６７２号公報
【発明の開示】
【発明が解決しようとする課題】
【０００５】
そこで本発明は、上記の問題を解決すべくなされたものであって、焼却時に有害ガスを発生せず、また発生するＣＯ2ガスを原材料製造工程で消費する（植物成長時に消費する）ことで、トータルとしてＣＯ2ガス排出量を削減し地球温暖化防止に貢献するホログラムラベルを提供することを目的とする。さらに、生分解性を付与することで、埋め立て処理された後は、土壌中で分解して残留しないホログラムラベルを提供することを目的とする。
【課題を解決するための手段】
【０００６】
前記課題の目的を達成するために、本発明のホログラムラベルの請求項１に記載の発明は、植物由来材料からなる透明な基材に、ホログラムが形成されたホログラムラベルであって、植物由来材料からなる透明な基材と、基材の片面に、ホログラム形成層，反射層，粘着剤層，剥離基材が順次形成されたことを特徴とするものである。
【０００７】
また、請求項２に記載の発明は、請求項１に記載の発明において、ホログラム形成面の逆面に、さらに、印刷層，接着剤層，透明な植物由来材料からなるフィルム層が順次形成されたことを特徴とするものである。
【０００８】
また、請求項３に記載の発明は、請求項１〜２何れか一項に記載の発明において、ホログラムには、基材の原料である植物に関する文字または図柄がデザインされていることを特徴とするものである。
【発明の効果】
【０００９】
１）請求項1に記載のように、植物由来材料からなる透明な基材に、ホログラムが形成されたホログラムラベルであって、植物由来材料からなる透明な基材と、基材の片面に、ホログラム形成層，反射層，粘着剤層，剥離基材が順次形成されたことによって、意匠性に優れたラベルとしての役割を果たし、役割を果たした後は環境にやさしい素材として廃棄される。
即ち、これら植物由来材料は、トウモロコシ，サトウキビ，芋などから採取される澱粉を原料としており、焼却時には有害ガスを発生せず、また発生するＣＯ2ガスを原材料製造工程で消費する（植物成長時に消費する）ことで、トータルとしてＣＯ2ガス排出量を削減し、さらにオレフィン系樹脂の約１／２の燃焼カロリーで焼却することができ、地球温暖化防止に貢献することができる。
また、生分解性を付与することで、土や水の中では数年間安定であるが、堆肥等の中ではプラスチックの厚さが薄ければ１週間程度で分解する。
２）また、請求項２に記載のように、請求項１に記載の発明において、ホログラム形成面の逆面に、さらに、印刷層，接着剤層，透明な植物由来材料からなる樹脂層が順次形成されたことによって、ホログラムだけでは表現しにくい部分を印刷で補完することができるために、ラベルの利用分野を拡大し、意匠性を向上させることができる。
３）また、請求項３に記載のように、請求項１〜２何れか一項に記載の発明において、ホログラムには、基材の原料である植物に関する文字または図柄がデザインされていることによって、ホログラムに表示された植物由来材料に貼付して純正品表示として使用することができる。
【発明を実施するための最良の形態】
【００１０】
以下、図面を参照して、本発明のホログラムラベルについて説明する。
図１は、本発明のホログラムラベルの断面の一例について説明するための図，図２は、ホログラムラベルの一例について説明するための図，である。
【００１１】
図１を参照して、本発明のホログラムラベルの断面の一例について説明する。
本発明のホログラムラベル１は、植物由来材料からなる透明な基材１１の片側に、ホログラム形成層１２，反射層１３，粘着剤層１４，剥離基材１５が順次形成されて構成されている。
また、ホログラム形成面と逆面の基材表面には印刷層１７，接着剤層１８，植物由来材料層１９が形成されている。
以下に、それぞれの層を構成する材料について説明する。
【００１２】
基材１１には、植物由来材料を原料とする透明なポリ乳酸フィルムを使用する。
ポリ乳酸は、トウモロコシ，サトウキビ，芋などから採取される澱粉を発酵し、抽出される乳酸を重合して製造される。これら乳酸の重合によって作製されたポリ乳酸（ＰＬＡ；Ｐｏｌｙ  Ｌａｃｔｉｃ  Ａｃｉｄ）に添加剤を加え、得られた透明で、耐熱性を有するフィルムをホログラムラベルの基材として使用する。
【００１３】
ホログラム形成層１２には、例えば、ポリ塩化ビニル，アクリル樹脂，ポリカーボネート等の熱可塑性樹脂、または、例えば、不飽和ポリエステル，メラミン，エポキシ等の熱硬化性樹脂、または、前記熱可塑性樹脂および熱硬化性樹脂を混合した樹脂などを使用する。
【００１４】
前述の樹脂を含め、ホログラム形成層１２に使用される材料を選択する場合、ホログラムの微細な凹凸パターンを忠実に再現し、前記凹凸パターンを保持しながら硬化する樹脂を選択することが好ましい。
これらの要求を満足する樹脂として、紫外線硬化型樹脂，電子線硬化型樹脂，その他熱硬化型樹脂等が好適に選択される。
【００１５】
前記樹脂は、グラビアコート法，ダイコート法，ナイフコート法，ロールコート法等の一般的なコーティング方法，シルクスクリーン等の印刷方法により形成される。
ホログラム形成層１２は、乾燥した状態で、厚さ１〜１００μｍ、好ましくは１０〜５０μｍになるように形成される。
【００１６】
ホログラムは、２次元画像、または、３次元画像を再生可能な凹凸パターンにより形成したものである。
偽造防止などに使用されるホログラムには、物体光と参照光との光の干渉による干渉縞で表現された３次元画像のレリーフホログラムや、２次元画像による回折格子が良く知られているが、その他に、白色光再生ホログラムであるレインボーホログラム，カラーホログラム，電子線等を用いて機械的に画像を描写する計算機ホログラム、さらに、これらのホログラムに文字，図形，記号等を結合させて作製されるホログラムがある。
本発明のホログラムラベルでは、前記何れのホログラムも使用することができる。
【００１７】
反射層１３は、前述のホログラム形成層１２の凹凸面に反射性を与えるためのもので、透明性を有する反射層と、不透明な反射層がある。
透明性を有する反射層が使用されるホログラムは、ホログラムラベルが物に貼付されたときに貼付された物の貼付面の図柄や材質が、ラベルを通して見えるようにしたい場合に利用される。
不透明な反射層、例えば、Ａｌなどの金属が反射層として使用されるホログラムは、ホログラムラベル自体が貼付されていることが明確になって、見る人がそこに注目するような効果が要求される場合に利用される。
また、金属が反射層として使用されるホログラムは、ラベル自体をコピー使用としたときに再現し難いという特徴を持っている。
透明性を有する反射層には、例えば、ＺｎＳ、ＴｉＯ2  等を使用する。
また、不透明な反射層には、例えば、Ａｌ，Ｃｒ，Ｎｉ，Ａｇ，Ａｕ等の金属及びその酸化物、窒化物等を単独若しくは２種以上組み合わせて使用する。
反射層を形成する方法としては、真空蒸着法，スパッタリング法，イオンブレーティング法等があり、目的によって好適に使い分ける。
また、反射層の厚みは、２０〜１００ｎｍの間で選択的に使い分ける。
【００１８】
粘着剤層１４には、市販の粘着剤を使用する。
市販材料として、例えば、アクリル酸エステルを、トルエン，酢酸エチル等の有機溶媒中で重合したものや、アクリル酸ブチル、アクリル酸２−エチルヘキシル等のガラス転移点の低いモノマーにガラス転移点の高い酢酸ビニル，水酸基モノマー，スチレン，不飽和カルボン酸等のモノマを共重合したもの等から選択して使用する。
本発明の場合は、自然に優しい材料構成とするために、例えば、天然ゴムを主成分とするラテックス、それを変性したもの、特に天然ゴムにスチレンとメタクリル酸メチルとをグラフト共重合させて得た天然ゴムラテックス等の天然素材から作製されたものを選択して使用することもある。
【００１９】
剥離基材１５として、市販の剥離紙を使用する。
剥離剤を購入して塗布する場合は、例えば、ジメチルポリシロキサン，ジフェニルポリシロキサン等のシリコーンをＵＶ硬化型インキに含有させたものが好ましく、シリコーンの含有量は、低すぎると必要な剥離性能が得られず、高すぎると、被膜の強度が落ちるため、好ましくは１４〜１６％のものを選択し、クラフト紙等に塗布して使用する。
【００２０】
基材の逆面に形成される印刷層１７には、印刷インキが形成されている。
図示しないが、印刷インキの接着力を良くさせるために、下塗り層を形成する場合もある。
印刷インキは、オフセット印刷方式によるオフセットインキ，凸版印刷方式による凸版インキ，凹版印刷方式による凹版またはグラビアインキ，シルクスクリーン印刷方式によるスクリーンインキ等いずれでも良い。
基材の逆面に形成されたホログラムと印刷絵柄を同調させるために、図２に示すような多面付けのホログラムラベルシートにした後で印刷する。
多くの場合、シートのオフセット印刷方式、または、シルクスクリーン印刷方式で印刷する。
【００２１】
接着剤層１８は、印刷インキを保護するために、フィルム形態の植物由来材料層１９を貼りあわせる際に形成される。
接着剤層１８としては、植物由来材料層１９との接着性のよいものが選択され、植物由来材料層１９に塗布され、一旦乾燥される。
乾燥の後、熱などで活性化されて植物由来材料層１９と一緒に基材上に接着される。
植物由来材料層１９が、シルクスクリーン印刷などの印刷によって形成される場合は、接着剤層１８は省略される場合もある。
【００２２】
植物由来材料層１９は、前述の基材に使用されるポリ乳酸をフィルム化，シルクスクリーン印刷用インキ化，ロールコート用に塗料化してそれぞれ、ラミネート，印刷，ロールコートなどの方法によって形成される。
【００２３】
図２を参照して、ホログラムラベルの一例について説明する。
ホログラムラベルシート１００は複数のホログラムラベルで構成されており、独立したホログラムラベル１が剥離基材１５面上に規則的に並べられている。
それぞれのホログラムラベル１には、植物の図柄１２０がデザインされたホログラム（回折構造）が形成されており、ホログラムラベルの基材がどのような植物由来材料を原料として作製されたかが判別できるようになっている。
図２に示す図柄は、とうもろこしであるが、本発明のホログラムラベルでは、ポリ乳酸の原料となった植物名、例えば、サトウキビや、芋などがデザインされホログラムによって表示されている。
図示しないが、ホログラムと同調して、植物名や植物が生産された地名などが印刷文字によって表示される。
【産業上の利用可能性】
【００２４】
本発明のホログラムラベルは、スポーツ用品，ブランド品，ビデオカセット，コンパクトディスク等に貼付され、偽造，変造，改竄を阻止したい商品に使用でき、また、ホログラムに表示された植物由来材料に貼付して純正品表示として利用できる。
【図面の簡単な説明】
【００２５】
【図１】本発明のホログラムラベルの断面の一例について説明するための図である。
【図２】ホログラムラベルの一例について説明するための図である。
【符号の説明】
【００２６】
１      ホログラムラベル
１１    基材
１２    ホログラム形成層
１３    反射層
１４    粘着剤層
１５    剥離基材
１７    印刷層
１８    接着剤層
１９    植物由来材料層
１００  ホログラムラベルシート
１２０  植物のデザイン
【図１】
2007079299.tif 000003
【図２】
2007079299.tif 000004